(57)【要約】【課題】シフト自在に構成した操作部材の、シフト位置と捻り操作とを確実に判別し得るスイッチ機構を小型に構成する。【解決手段】スイッチ本体１０に対して軸芯Ｚに沿って押込み位置Ａと引出し位置Ｂとにシフト操作自在、かつ、軸芯Ｚ周りで捻り操作自在に筒状の操作部材１６を備え、この操作部材１６の内部位置に対して、軸芯Ｚに沿う姿勢のアーム部２３Ｂを有した導体製の接点部材２３を備え、この接点部材２３と対向する位置の基板２５に対して、複数の電極２６を形成し、操作部材１６を捻り操作した場合には、接点部材２３の接点部２３Ｃが対応する電極２６に接触して導通状態に達し、操作部材１６のシフト位置と捻り操作方向とを判別するようスイッチ機構を構成した。【選択図】　　　　図６
2004014392.tif 000002
【特許請求の範囲】
【請求項１】
スイッチ本体に対して軸芯周りで捻り自在、かつ、この軸芯に沿う方向の複数のシフト位置に設定自在な筒状の操作部材を備え、夫々のシフト位置で操作部材を捻り操作した際に、そのシフト位置と捻り操作とを判別する判別部を備えているスイッチ機構であって、
前記判別部が、前記操作部材の内部空間においてスイッチ本体側に支持され、かつ、複数の電極が形成された基板と、前記操作部材とともに捻り作動して前記基板の電極に接触する接点が形成された接点部材とで成ると共に、前記基板の電極は、前記軸芯方向に離間する２領域において前記操作部材のシフト位置に対応する位置に配置され、前記接点部材の接点は、操作部材の捻り操作時に前記２領域のシフト位置に対応する電極に接触して、この２領域の電極同士を電気的に導通させる導体で形成されているスイッチ機構。
【請求項２】
前記操作部材が、前記軸芯周りでの中立姿勢を基準にして正方向と逆方向とに捻り操作自在、かつ、非操作時には中立姿勢に保持されるよう中立付勢されると共に、
前記基板は、前記複数の電極を操作部材の正逆両方向への操作に対応する一対の列状に配置して成り、前記接点部材は、弾性体を用い、かつ、この弾性体における前記軸芯方向での両端部に対して前記軸芯と直交する方向に接点を並設して成り、前記操作部材を捻り操作した際には、この捻り操作側に対応する接点が、この捻り操作側に対応する電極に接触して導通状態に達するよう構成してある請求項１記載のスイッチ機構。
【請求項３】
前記操作部材と一体にシフト作動し、かつ、このシフト方向と直交する方向に突出する姿勢の突出片と、この操作部材をシフト位置に操作した際に前記突出片に接触して操作部材の位置を保持するようスイッチ本体側の部材に形成した位置決め部と、前記突出片を突出方向に付勢する付勢部材とを有する位置保持機構を備えている請求項１又は２記載のスイッチ機構。
【請求項４】
前記操作部材の内部空間に対して前記基板に支持されるジャックコネクタを備えると共に、前記付勢部材が、前記ジャックコネクタに対して一端側を支持し、かつ、他端側を前記突出片に接触させて、この突出片に突出方向への付勢力を作用させるよう前記軸芯に沿う姿勢に配置した弾性体で構成してある請求項３記載のスイッチ機構。
【発明の詳細な説明】
【０００１】
【発明の属する技術分野】
本発明は、スイッチ本体に対して軸芯周りで捻り自在、かつ、この軸芯に沿う方向の複数のシフト位置に設定自在な筒状の操作部材を備え、夫々のシフト位置で操作部材を捻り操作した際に、そのシフト位置と捻り操作とを判別する判別部を備えているスイッチ機構に関する。
【０００２】
【従来の技術】
上記のように構成されたスイッチ機構と類似するものとして図９に示すコントローラが市販されている。つまり、このコントローラＣＴはＭＤプレーヤやＣＤプレーヤ等の携帯型のオーディオ装置に接続するプラグ０１を一端に備えたケーブル０２がスイッチ本体０３に接続され、このスイッチ本体０３には複数のスイッチ操作片０４、液晶ディスプレイ０５、クリップ０６、ジャックコネクタ０７を備えている。又、スイッチ本体０３の端部位置に筒状の操作部材０８を軸芯Ｚに沿う方向にシフト操作自在、かつ、この軸芯Ｚ周りで捻り操作自在に備え、この操作部材０８の捻り操作を判別するスイッチ機構ＳＷをケース本体０３に内蔵している。同図に示すように前記ジャックコネクタ０７はイヤホンやヘッドホン（図示せず）のプラグ０９の挿入を許すものであり、クリップ０６はユーザの衣服やネクタイを挟み込んでコントローラＣＴを保持するものである。
【０００３】
前記スイッチ本体０３は全体として円筒状に成形され、前記操作部材０８は、スイッチ本体０３の側に押込んだ押込み位置Ａと、スイッチ本体０３から引出した引出し位置Ｂとの２つのシフト位置に移動操作自在で、かつ、非捻り操作状態ではバネ（図示せず）の付勢力で中立姿勢に維持され、この中立姿勢を基準にして軸芯Ｚ周りに一方の側（正方向）と他方の側（逆方向）とに捻り操作自在に構成されている。前記スイッチ機構ＳＷは、図１０及び図１１に示すように、操作部材０８と一体作動する作動部材０１０に備えた複数の接触片０１１と、この複数の接触片０１１に対向する位置に配置した基板０１２に形成した複数の電極０１３とで成り、操作部材０７を捻り操作した際には、複数の接触片０１１のうち、捻り操作方向に対応するものが、シフト位置に対応する電極０１３に接触することで、捻り操作と、シフト位置とを電気的に判別できるものにしている。
【０００４】
又、前記複数の接触片０１１はバネの性質を有する良導体の１枚の金属板をプレス加工することにより、軸芯Ｚに沿う方向に沿って所定の距離を隔てて一対ずつ両側部に振分けて夫々の電極０１３に対応して配置してあり、夫々の接触片０１１は基端側において「Ｕ」字状に屈曲させることで良好な弾性変形を現出している。又、操作部材０８を前記押込み位置Ａと、引出し位置Ｂとに設定した状態において一方の側に捻り操作した場合には、前記複数の電極０１３のうちの一方の側部の一対の電極０１３に対して一対の接触片０１１が同時に接触する結果、これらの一対の電極０１３同士が導通状態に達し、操作部材０８を逆方向に捻り操作した場合には、前記複数の電極０１３のうちの他方の側部の一対の電極０１３に対して一対の接触片０１１が同時に接触する結果、これらの一対の電極０１３同士が導通状態に達する。
【０００５】
【発明が解決しようとする課題】
前述した従来の技術では、スイッチ本体０３の内部空間に備えた基板０１２と、操作部材０８の側に支持された接触片０１１とでスイッチ機構ＳＷが構成されるので、スイッチ本体０３の内部にスイッチ機構ＳＷを収納する空間を確保する必要がある。又、このスイッチ機構ＳＷは、操作部材０８の捻り操作時に接触片０１１と電極０１３とを確実に接触させるために、捻り操作の初期の段階で接触片０１１を電極０１３に接触させ、このように接触状態に達した後に捻り操作を継続した際にも、接触状態を維持させるために接触片０１１に比較的大きく弾性変形するものが要望されている。この要望を満足するために、接触片０１１を弾性体として機能する帯状の銅合金等を使用すると共に、この接触片を「Ｕ」字状に屈曲させることで接触時には、この屈曲部で弾性変形を行わせて必要とする接触圧を得るよう構成している。このように接触片０１１を構成したので接触片０１１が大型化しやすく、スイッチ本体０３の内部にスイッチ機構ＳＷを配置するための比較的大きい空間を確保しなければならず、スイッチ機構ＳＷを収納するケースが大型化しやすく改善の余地がある。
【０００６】
尚、接触片０１１と基板０１２とをスケールダウンしてスイッチ機構ＳＷの小型化を図ることも考えられるが、単純にスケールダウンした場合には、前述したように捻り操作に対応した操作ストロークを吸収し得る弾性変形量を得ることが出来ず、例えば、繰り返して捻り操作を行った場合には、接触片を塑性変形させ、スイッチ機構として機能しなくなる事態に至ることが想像できる。
【０００７】
本発明の目的は、シフト自在に構成した操作部材の、シフト位置と捻り操作とを確実に判別し得るスイッチ機構を小型に構成する点にある。
【０００８】
【課題を解決するための手段】
本発明の請求項１に係るスイッチ機構の特徴、作用・効果は次の通りである。
〔特徴〕
スイッチ本体に対して軸芯周りで捻り自在、かつ、この軸芯に沿う方向の複数のシフト位置に設定自在な筒状の操作部材を備え、夫々のシフト位置で操作部材を捻り操作した際に、そのシフト位置と捻り操作とを判別する判別部を備えているスイッチ機構において、前記判別部が、前記操作部材の内部空間においてスイッチ本体側に支持され、かつ、複数の電極が形成された基板と、前記操作部材とともに捻り作動して前記基板の電極に接触する接点が形成された接点部材とで成ると共に、前記基板の電極は、前記軸芯方向に離間する２領域において前記操作部材のシフト位置に対応する位置に配置され、前記接点部材の接点は、操作部材の捻り操作時に前記２領域のシフト位置に対応する電極に接触して、この２領域の電極同士を電気的に導通させる導体で形成されている点にある。
【０００９】
〔作用・効果〕
上記特徴によると、操作部材を捻り操作した場合には、接点部材が操作部材と一体的に捻り作動して、この接点部材の接点が操作部材のシフト位置に対応した位置基板の２領域に配置した電極に接触して２領域の電極同士を電気的に導通させるのである。つまり、本発明によると、スイッチ本体を大径化しなくとも接点部材の接点を基板の２領域に対応して軸芯方向に離間して配置できるので、操作部材の内部位置において夫々の接点の間の距離を大きく設定し、この軸芯方向に沿って長い寸法の導体を用い、この導体全体の弾性変形を利用して、基板の電極に対して接点部材の接点を良好な接触圧で接触させることが可能となる。その結果、比較的大型の接点部材の使用を可能にして、操作部材の捻り操作時には、その操作を電気的に確実に判別し得るスイッチ機構が構成された。
【００１０】
本発明の請求項２に係るスイッチ機構の特徴、作用・効果は次の通りである。
〔特徴〕
請求項１記載のスイッチ機構において、前記操作部材が、前記軸芯周りでの中立姿勢を基準にして正方向と逆方向とに捻り操作自在、かつ、非操作時には中立姿勢に保持されるよう中立付勢されると共に、前記基板は、前記複数の電極を操作部材の正逆両方向への操作に対応する一対の列状に配置して成り、前記接点部材は、弾性体を用い、かつ、この弾性体における前記軸芯方向での両端部に対して前記軸芯と直交する方向に接点を並設して成り、前記操作部材を捻り操作した際には、この捻り操作側に対応する接点が、この捻り操作側に対応する電極に接触して導通状態に達するよう構成してある点にある。
【００１１】
〔作用・効果〕
上記特徴によると、操作部材を中立姿勢を基準として、正逆いずれの方向に捻り操作した場合でも、基板に列状に形成した電極に対して対応した接点部材の接点を接触させることが可能となる。その結果、複雑な構造を採用しなくとも操作部材の正逆良方向への操作を確実に判別し得るものとなった。
【００１２】
本発明の請求項３に係るスイッチ機構の特徴、作用・効果は次の通りである。
〔特徴〕
請求項１又は２記載のスイッチ機構において、前記操作部材と一体にシフト作動し、かつ、このシフト方向と直交する方向に突出する姿勢の突出片と、この操作部材をシフト位置に操作した際に前記突出片に接触して操作部材の位置を保持するようスイッチ本体側の部材に形成した位置決め部と、前記突出片を突出方向に付勢する付勢部材とを有する位置保持機構を備えている点にある。
【００１３】
〔作用・効果〕
上記特徴によると、操作部材をシフト操作した場合には、突出片がスイッチ本体側の位置決め部に接触して位置が保持されるので、この操作部材を必要とするシフト位置に操作した場合にも、そのシフト位置を確実に保持するものとなる。又、突出片を突出方向に付勢する付勢部材を備えているので、繰り返して使用した場合でも強い付勢力に基づき不十分なシフト位置での捻り操作を排除して確実な位置決め状態での捻り操作を現出する。その結果、操作部材のシフト位置を確実に決めて適正な捻り操作を実現する。
【００１４】
本発明の請求項４に係るスイッチ機構の特徴、作用・効果は次の通りである。
〔特徴〕
請求項３記載のスイッチ機構において、前記操作部材の内部空間に対して前記基板に支持されるジャックコネクタを備えると共に、前記付勢部材が、前記ジャックコネクタに対して一端側を支持し、かつ、他端側を前記突出片に接触させて、この突出片に突出方向への付勢力を作用させるよう前記軸芯に沿う姿勢に配置した弾性体で構成してある点にある。
【００１５】
〔作用・効果〕
上記特徴によると、電極が形成された基板にジャックコネクタを支持するので、ジャックコネクタを支持する目的と、ジャックコネクタと導通する目的とから複数の基板を備える必要が無く、しかも、ジャックコネクタに対して一端を支持した弾性体で付勢部材を構成するので、操作部材の内部空間を形成する部材に対して弾性体を支持する場合と比較して、弾性部材を支持する加工が容易となる。その結果、合理的にジャックコネクタを有したスイッチ機構が合理的に構成されたのである。
【００１６】
【発明の実施の形態】
以下、本発明の実施の形態を図面に基づいて説明する。
図１にはＭＤプレーヤやＣＤプレーヤで代表される携帯型のオーディオプレーヤＰと、このオーディオプレーヤＰに対して接続、及び、分離自在なコントローラＣＴと、このコントローラＣＴに対して接続、及び、分離自在なイヤホンＥとを示している。このコントローラＣＴはプレーヤＰの制御とイヤホンＥの音量の調節とを可能にすると共に、イヤホンＥ、あるいは、ヘッドホン（図示せず）の中継手段として機能する。
【００１７】
プレーヤＰは、筐体１に対してＭＤやＣＤ等のメディアの挿抜を可能にするよう開閉自在となる蓋体２を備えると共に、メディアを駆動するドライブを内蔵し、筐体１の所定の側面には停止・再生、レビュー（巻戻し）、キュー（早送り）等の制御、及び、これらの制御の他に音量の調節を行うスイッチ類の操作を行う操作体３を備えている。この筐体１の異なる側面には前記コントローラＣＴのコントロールプラグ５の挿入を許すコントロールジャック４が形成されている。前記イヤホンＥは、イヤホンプラグ６に接続するコード７から分岐するコードの先端に一対のイヤホン本体８、８を備え、この一対のイヤホン本体８、８に音声信号を伝えるよう構成されている。
【００１８】
図１及び図２に示すように、コントローラＣＴは角柱状のケースとなるスイッチ本体１０の一方の端部に前記コントロールプラグ５に接続するコード１１を備え、プレーヤＰの制御を行うために、該スイッチ本体１０の外面にスイッチ本体１０に内蔵された複数のスイッチ（図示せず）を操作する操作片１２と、各種情報を表示する液晶ディスプレイ１３とを備え、スイッチ本体１０の外面にはこのコントローラＣＴをユーザの衣服、衣服のポケット、ネクタイ等に留め付けるためにバネで閉じ姿勢に付勢されたクリップ１４を備えている。尚、このスイッチ本体１０の内部には、内蔵したスイッチ類からの信号の処理や、液晶ディスプレイ１３の制御を行う制御手段（図示せず）を備えている。
【００１９】
このスイッチ本体１０の他方の端部にイヤホンプラグ６の挿入を許すジャックコネクタ１５（図５を参照）を備えると共に、この端部に対して押込み位置Ａと、引出し位置Ｂとの２位置にシフト操作自在、かつ、夫々の位置（シフト位置）Ａ、Ｂにおいて、軸芯Ｚ周りで捻り操作自在な操作部材１６を備えている。この操作部材１６は、非操作状態では捻り操作方向で中立姿勢を維持するよう後述するトーションバネ３１（図８を参照）で中立付勢されている。そして、この操作部材１６と後述するように操作部材１６を捻り操作した際に導通する電気系とでスイッチ機構ＳＷが構成されている。
【００２０】
このスイッチ機構ＳＷは、例えば、図２（イ）に示すように、操作部材１６を押込み位置Ａにセットした状態で一方に捻り操作することで、音声の再生を行い（既に再生状態にある場合にはキューあるいは頭出しを行い）、他方に捻り操作することでレビューを行い、（既に再生状態にある場合には再生状態でのレビューを行い）、又、図２（ロ）に示すように、操作部材１６を引出し位置Ｂにセットした状態で一方に捻り操作することで音量の増大を行い、他方に捻り操作することで音量の低減を行えるよう、操作部材１６の４つの操作位置への操作を電気的に判別するよう機能する。
【００２１】
図３〜図８に示すように、前記スイッチ本体１０の端部に対して、このスイッチ本体１０の長手方向に沿う姿勢の軸芯Ｚを中心とする円筒状のスリーブ１０Ｓを一体形成し、このスリーブ１０Ｓの内部でスイッチ本体１０とスリーブ１０Ｓとの境界部位に壁部１０Ｗを一体形成し、更に、このスリーブ１０Ｓに対して、円筒状の前記操作部材１６を軸芯Ｚに沿う方向にシフト操作自在、かつ、軸芯Ｚを中心として捻り操作自在に外嵌してある。尚、この操作部材１６は、スリーブ１０Ｓの外周面に対して該操作部材１６の内周面が摺接して芯ブレ無く安定的に回転し、かつ、円滑にシフト作動するよう寸法関係を設定してある。
【００２２】
前記操作部材１６の内面側には一対の連結体１６Ａ、１６Ａと、夫々の連結体１６Ａ、１６Ａを繋ぐ形状のブリッジ状の中間フレーム１６Ｂとを一体形成し、この中間フレーム１６Ｂに対して前記軸芯Ｚと略平行姿勢となる位置決めアーム１７を形成してある。又、この操作部材１６の内面側に単一のバネ支持部１８を一体形成してあり、スリーブ１０Ｓには前記一対の連結体１６Ａ、１６Ａとバネ支持部１８との入り込みを許す３つの切欠き部１０Ｃを形成してある。
【００２３】
スリーブ１０Ｓの外端部に対してホルダ２０を係合固定することで前記操作部材１６が抜け止め状態で保持され、これと同時に前記ジャックコネクタ１５が保持される。
【００２４】
つまり、このスイッチ本体１０と、このスイッチ本体１０に一体形成したスリーブ１０Ｓと、スイッチ本体１０に一体形成した壁部１０Ｗ夫々と、前記操作部材１６と、ホルダ２０とは、電気的に絶縁性となる樹脂を成型して形成されたものである。又、ホルダ２０には２つの係合片２０Ａを一体形成すると共に、前記軸芯Ｚと同軸芯となる開口２０Ｂを形成してあり、この係合片２０Ａが係入する２つの係合孔１０Ａをスリーブ１０Ｓに形成してある。
【００２５】
この構成により、スリーブ１０Ｓの外面に操作部材１６を外嵌し、スリーブ１０Ｓの内部にジャックコネクタ１５を配置した後に、前記ホルダ２０の係合片２０Ａを係合孔１０Ａに係合させることで、操作部材１６が抜け止め状態に達し、又、ジャックコネクタ１５のプラグ挿入部１５Ａの端部がホルダ２０の開口２０Ａに嵌まり込み、このジャックコネクタ１５の内端側が前記スイッチ本体１０の壁部１０Ｗに係合する状態に達して、このジャックコネクタ１５が位置決め状態で保持される。
【００２６】
前記位置決めアーム１７の延出側の端部には、軸芯Ｚと反対側に突出する形状の突出片１７Ａを形成してあり、この突出片１７Ａを前記スイッチ本体１０の壁部１０Ｗに形成した位置決め部としての孔部２１に挿通可能な位置に配置してある。又、位置決めアーム１７に対して弾性付勢力を作用させるように、前記ジャックコネクタ１５に基端側を支持した金属製のバネ板材２２（付勢部材の一例）の延出端を位置決めアーム１７の反接当面の側に接触させている。つまり、位置決めアーム１７は素材自体の弾性変形の機能を有するものであるが、金属製のバネ板材２２を接触させることで、弾性変形時の付勢力を高めると同時に耐久性も高めているのである。この構成から、操作部材１６が押込み位置Ｂにある場合には図５（イ）に示すように、位置決めアーム１７の突出片１７Ａの傾斜面が孔部２１の開口縁に接触し、操作部材１６を引出し位置Ｂに操作した場合には、その操作の途中で位置決めアーム１７の突出片１７Ａが孔部２１の開口縁を乗り越えた後、図５（ロ）に示すように、この突出片１７Ａの傾斜面が孔部２１の開口縁に接触して、この操作位置を保持する。そして、この突出片１７Ａと孔部２１とで位置保持機構Ｆが構成され、この位置保持機構Ｆは操作部材１６を押込み位置Ａと引出し位置Ｂとに保持するばかりで無く、この操作部材１６を押込み位置Ａと引出し位置Ｂとの中間域に位置させた場合には、位置決めアーム１７からの付勢力によって操作部材１６を強制的に何れかのシフト位置まで作動させて、操作部材１６を中間域に位置させる不都合を回避できるものにしている。
【００２７】
図４に示すように前記バネ支持部１８には、操作部材１６の中心側に向けて露出する基準面１８Ａを有すると共に、この基準面１８Ａの両側部に一対の支持片１８Ｂを形成して成り、このバネ支持部１８に対して接点部材２３を支持してある。この接点部材２３は、前記バネ支持部１８の一対の支持片１８Ｂに係合状態で支持される一対のプレート状の連結部２３Ａと、この連結部２３Ａを基準にして前記軸芯Ｚに沿う方向に延設した一対のアーム部２３Ｂと、この夫々のアーム部２３Ｂの先端に形成した接点部２３Ｃとを銅合金等の良導体で、かつ、良好に弾性変形し得る板状の素材のプレス成形によって一体形成して構成されている。特に、この接点部材２３はバネ支持部１８に支持した状態において、一対のアーム部２３Ｂが、その先端側ほど（接点部２３Ｃの側ほど）後述する基板２５の側に接近する傾斜姿勢となる状態で、バネ支持部１８に支持されている。
【００２８】
前記夫々の接点部２３Ｃには接点部材２３の幅方向での中央位置を基準にして対称となる（基板２５の面と直交する方向視で軸芯Ｚを挟む位置に）位置に設定して、一対の接点Ｓ、Ｓを突出形成してあり、図５に示すように、軸芯Ｚに沿う方向で夫々の接点Ｓを距離Ｌだけ離間させて配置してある。
【００２９】
前記ジャックコネクタ１５に対して固定した基板２５を、この接点部材２３と対向する位置に配置してある。基板２５には前記ジャックコネクタ１５と導通する配線が形成され、接点Ｓと対向する面に複数の銅合金等の良導体で成る電極２６をプリント配線の技術により形成してある。前記電極２６は図３及び図５に示すように、前記軸芯Ｚに沿う方向で前記接点部材２３の接点Ｓ同士の間隔Ｌと等しい距離だけ隔てた位置（領域）に配置された第１電極対２６Ａと、この第１電極対２６Ａを基準にして操作部材１６のシフト量と等しいピッチだけ軸芯Ｚ方向に変位した位置に形成された第２電極対２６Ｂとで成っている。
【００３０】
図３に示すように直線状に配置された一対の第１電極対２６Ａと、一対の第２電極対２６Ｂを１つの電極列として、２列となる電極列を平行する姿勢で前記基板２５に形成することにより、操作部材１６を中立姿勢から何れの方向に捻り操作しても、その捻り操作を判別できるよう構成してある。つまり、基板２５の基板面と直交する方向視で、前記軸芯Ｚを挟む位置で対称となる位置関係で、前記電極列を配置してある。又、前記第１電極対２６Ａは、操作部材１６を押込み位置Ａにセットした状態で操作部材１６を捻り操作した際に対応する接点Ｓが接触する位置に配置され、第２電極対２６Ｂは、操作部材１６を引出し位置Ｂにセットした状態で操作部材１６を捻り操作した際に対応する接点Ｓが接触する位置に配置されている。尚、接点部材２３と、基板２５に形成された複数の電極２６とで、操作部材１６のシフト位置と捻り操作とを判別する判別部が構成されている。
【００３１】
前記基板２５の一方の端部側には、基板２５の回路と導通する配線が形成されたフレキシブルプリント配線２７を備えており、このフレキシブルプリント配線２７と、この端部側の基板２５の一部が挿通する開口２８を前記壁部１０Ｗに形成してある。尚、このフレキシブルプリント配線２７が、スイッチ本体１３に内蔵した前記制御手段に対してスイッチ機構ＳＷからの信号を伝えるものとなり、又、前記操作部材１６を押込み位置Ａに操作した場合には、前記接点部材２３の一部が開口２８の内部に入り込むよう位置関係が設定されている。
【００３２】
図８（イ）に示すように、前記中間フレーム１６Ｂと一体的にバネ受け部３０を形成してあり、このバネ受け部３０と２つの前記切り欠き部１０Ｃとに亘ってトーションバネ３１の一対の端部３１Ａ、３１Ａを挿入してある。このトーションバネ３１は操作部材１６に捻り力を作用させない状態では、トーションバネ３１の付勢力によって同図に示すように操作部材１６を中立姿勢に保持し、この中立姿勢を基準にして操作部材１６をＺ軸芯周りで正方向と逆方向とへの何れかに捻り操作した場合には、図８（ロ）に示すように一対の端部３１Ａ、３１Ａの距離を拡大する状態となり、この距離を縮小する方向、即ち、操作部材１６を中立姿勢の側に復帰する付勢力を作用させ、捻り操作を解除した場合には、操作部材１６を中立姿勢に復帰させるよう機能する。
【００３３】
この構成から操作部材１６を押込み位置Ａに設定した状態では、図５（イ）に示すように、位置決めアーム１７の突出片１７Ａが壁部１０Ｗに形成した孔部２１の開口縁に接触して、操作部材１６を押込み位置Ａに保持する状態となり、この状態においては、接点部２３Ｃの姿勢が図６（イ）及び図７（イ）に示す姿勢に維持され、前述したようにトーションバネ３１の付勢力によって操作部材１６が中立姿勢に維持される。この状態から操作部材１６を一方の側に捻り操作した場合には図６（ロ）及び図７（ロ）に示すように操作部材１６と一体的に接点部２３Ｃが捻り作動して、対応する位置の一対の電極２６Ａに対して一対の接点部２３の接点Ｓが接触して、夫々の電極２６Ａ同士を電気的に導通させるものとなり、この押込み位置Ａにおいて操作部材１６が一方の側に捻り操作されたことを検出できるものにしている。尚、操作部材１６を逆方向に捻り操作した場合には、幅方向で対向する位置に配置された他方の一対の電極２６Ａが導通状態になる。
【００３４】
又、操作部材１６を引出し位置Ｂに設定した状態では、図５（ロ）に示すように、位置決めアーム１７の突出片１７Ａが壁部１０Ｗに形成した孔部２１の開口縁に接触して、操作部材１６を引出し位置Ｂに保持する状態となり、この状態においても、前述したようにトーションバネ３１の付勢力によって操作部材１６が中立姿勢に維持される。この状態から操作部材１６を一方の側捻り操作した場合には、操作部材１６を押込み位置Ａにおいて捻り操作した場合と同様に操作部材１６と一体的に接点部２３Ｃが作動して、対応する位置の一対の電極２６Ｂに対して一対の接点部２３の接点Ｓが接触して、夫々の電極２６Ｂ同士を電気的に導通させるものとなり、この引出し位置Ｂにおいて操作部材１６が捻り操作されたことを検出できるものにしている。尚、操作部材１６を逆方向に捻り操作した場合には、幅方向で対向する位置に配置された他方の一対の電極２６Ｂが導通状態になる。
【００３５】
このように本発明では、操作部材１６の内部位置にスイッチ機構ＳＷを構成する判別部の主要部分を配置したので、従来の技術のように操作部材１６から比較的離間した位置（スイッチ本体には収納される）に判別部を構成する部材を配置したものと比較して、スイッチ本体１０の内部に判別部材を構成する部材を配置する空間を確保する必要が無く、例えば、スイッチ本体１０に大径のものを用いること無く、スイッチ本体１０の内部空間を広く使用することが可能になる。又、判別部を構成する接点部材２３として軸芯Ｚに沿って比較的長い部材の使用が可能となるので、この接点部材２３の連結部２３Ａの位置を基準にして接点部２３Ｃまでの距離（スパン）を比較的長く設定して、電極２６に接触する際には、この接点部材２３のアーム部２３Ｂを弾性変形させ、この弾性変形による弾性力により操作部材１６の捻り量に拘わらず略決まった圧接力で接点部２３Ｃを電極２６とを圧接させることを可能にして、この接点部材２３を塑性変形させる不都合を招来すること無く、良好な導通状態を作り出して、この操作部材１６の操作を確実に判別できるものにしているのである。
【００３６】
〔別実施の形態〕
本発明は上記実施の形態以外に、例えば、操作部材のシフト位置を３つ以上に設定することや、オーディオ機器以外に適用する形態でも実施可能である。
【図面の簡単な説明】
【図１】プレーヤとコントローラとを示す全体斜視図
【図２】操作部材を押込み位置と引出し位置とに設定した状態を示す図
【図３】スイッチ機構の分解斜視図
【図４】操作部材と接点部材とを示す分解斜視図
【図５】操作部材を押込み位置と引出し位置とに設定した状態の断面図
【図６】操作部材が中立姿勢と捻り操作姿勢とにある状態での接点部材を示す断面図
【図７】操作部材が中立姿勢と捻り操作姿勢とにある状態での接点部材と位置決めアームとを示す断面図
【図８】操作部材が中立姿勢と捻り操作姿勢とにある状態でのトーションバネを示す断面図
【図９】従来のコントローラを示す図
【図１０】従来のスイッチ機構を示す断面図
【図１１】従来のスイッチ機構を示す断面図
【符号の説明】
１０　　　　　　スイッチ本体
１５　　　　　　ジャックコネクタ
１６　　　　　　操作部材
１７Ａ　　　　　突出片
２２　　　　　　付勢部材
２５　　　　　　基板
２６　　　　　　電極
Ｆ　　　　　　　位置保持機構
Ｓ　　　　　　　接点
ＳＷ　　　　　　スイッチ機構
Ｚ　　　　　　　軸芯
【図１】
2004014392.tif 000003
【図２】
2004014392.tif 000004
【図３】
2004014392.tif 000005
【図４】
2004014392.tif 000006
【図５】
2004014392.tif 000007
【図６】
2004014392.tif 000008
【図７】
2004014392.tif 000009
【図８】
2004014392.tif 000010
【図９】
2004014392.tif 000011
【図１０】
2004014392.tif 000012
【図１１】
2004014392.tif 000013